(57)【特許請求の範囲】
【請求項１】
左右一対のブラケットに照明装置を係止する陳列棚の照明装置において、
前記照明装置は、
両立壁部と、底部と、底部の立壁部間に形成される開口部とは逆の面に設けられた一対の矩形孔部とを有するベースと、
ベースの立壁部間に取り付けられる発光ダイオードを有する照明部材と、
１つの矩形孔部に差し込まれる差し込み片とブラケットに嵌め込まれる係止部とを有するフラットホルダーと、を備え、
前記ベース両端面に、どちらか一方の矩形孔部にフラットホルダーの差し込み片を差し込み、それぞれ前記ベースにフラットホルダーを取り付け、フラットホルダーの係止部をブラケットに嵌め込み、ベースをブラケットに取り付けたことを特徴とする陳列棚の照明装置。
【請求項２】
前記フラットホルダーの係止部は、前記ベースの端面を塞ぐ大きさに形成され、前記フラットホルダーの差し込み片は、前記係止部に対して１つの矩形孔部の幅に対応してずらした位置に設けられていることを特徴とする請求項１に記載の陳列棚の照明装置。
【請求項３】
前記フラットホルダーは、ベースの端面を塞ぐようにして、前記矩形孔部の一方に前記差し込み片が差し込まれることを特徴とする請求項１又は請求項２に記載の陳列棚の照明装置。
【請求項４】
前記フラットホルダーの差し込み片を差し込む前記矩形孔部を選択して、１つのブラケットに２つのフラットホルダーの係止部が重ならないように配置し、連続するベースを一直線上に配置することを特徴とする請求項１又は請求項２に記載の陳列棚の照明装置。
【請求項５】
前記底部は、前記両立壁部に対して、所定の角度を有するテーパー面に形成されていることを特徴とする請求項１ないし請求項４のいずれか１項に記載の陳列棚の照明装置。
【請求項６】
前記両立壁部の内面には、ＬＥＤ照明部材の基板が嵌め込まれる溝部が設けられ、この溝部を結ぶ線は、底部のテーパー面と平行に構成されていることを特徴とする請求項５に記載の陳列棚の照明装置。
【請求項７】
前記両立壁部間の開口部先端の近傍には、集光用レンズが装着される溝部が設けられ、この溝部を結ぶ線は、底部のテーパー面と平行に構成されていることを特徴とする請求項５又は請求項６に記載の陳列棚の照明装置。
【発明の詳細な説明】
【技術分野】
【０００１】
この発明は、商品陳列棚等に用いられる照明装置に関し、特に、左右一対のブラケットにより、棚板の下面を支持するとともに、棚板の下方に照明装置を設け、この照明装置により下側に位置する棚板上の商品等の照明を行う陳列棚の照明装置に関するものである。
【背景技術】
【０００２】
什器などに付設される照明装置には、いろいろな種類があるが、例えば、商品陳列棚では、棚板を多段状に取り付けて構成し、下段棚板上の陳列商品を照明して商品陳列効果を高めるための照明装置が棚板の下面に取り付けられる。
【０００３】
従来、この照明の光源には蛍光灯が一般的に使用されていた。蛍光灯を用いた棚板用の照明装置では、棚板の下面前部に前面幅方向に沿って蛍光灯が取り付けられ、両端に取り付けられたソケットを介して給電され、下段棚板上の陳列商品を照明している。
【０００４】
上記した蛍光灯や、その他の照明装置である白熱電球、スポットライト等の照明光源は、光源の発熱量が大きく、消費電力も多い。このような事情から、近年、発熱や消費電力が少ない発光ダイオード（ＬＥＤ）が注目され、照明装置を発光ダイオード（ＬＥＤ）で構成するものが増えている。
【０００５】
左右の一対のブラケットに発光ダイオード（ＬＥＤ）を使用した照明装置を取り付ける陳列棚の照明装置の一例が特許文献１に開示されている。
【０００６】
図２０に、従来の左右の一対のブラケットに発光ダイオード（ＬＥＤ）を使用した照明装置を取り付ける陳列棚の照明装置を示す。
【０００７】
図２０に示すように、照明装置２４４の左右両端には、左右一対のブラケット２１７、２１７に係止するための係止部２４１、２４１が、照明装置２４４の左右両端を形成する側端部に形成された取り付け孔にねじ２４８を螺合して取り付けられている。照明装置２４４には、図示しないが複数の発光ダイオード（ＬＥＤ）が左右方向に配設され、電源ケーブル２４９より発光ダイオード（ＬＥＤ）に給電される。
【０００８】
ブラケット２１７、２１７の上端縁２１７ａには、係止部材２４１、２４１を取り付け自在に嵌合する凹部としての係合溝２１７ｂ、２１７ｂが形成されており、係止部２４１、２４１を係合溝２１７ｂ、２１７ｂに係止することで、照明装置２４４がブラケット２１７、２１７に取り付けられる。
【０００９】
このように、棚板を支持する左右のブラケット２１７、２１７を利用して照明部材２４４の係止部材２４１、２４１を係止するだけで照明装置２４４を簡単に取り付けることができる。
【先行技術文献】
【特許文献】
【００１０】
【特許文献１】特開２００９−２４０３８２号公報
【発明の概要】
【発明が解決しようとする課題】
【００１１】
上記した図２０に示す照明装置２４４においては、左右一対のブラケット２１７、２１７で構成される１つのスパンに照明装置２４４を係止する場合には簡単に取り付けることができる。
【００１２】
しかしながら、スパンが連続する場合には、１つのブラケット２１７に２個の照明装置２４４を係止する必要があり、照明装置２４４、２４４を互いにずらして係止することになる。このため、照明装置２４４がずれた状態でブラケット２１７に係止されることになり、見栄えが悪くなるという難点がある。
【００１３】
この発明の目的は、上記した従来の難点に鑑みなされたものにして、ブラケットに対して簡単に取り付けることができるとともに、複数のスパンに跨った場合においても見栄えの良い照明装置を提供することにある。
【課題を解決するための手段】
【００１４】
この発明は、左右一対のブラケットに照明装置を係止する陳列棚の照明装置において、前記照明装置は、両立壁部と、底部と、底部の立壁部間に形成される開口部とは逆の面に設けられた一対の矩形孔部とを有するベースと、ベースの立壁部間に取り付けられる発光ダイオードを有する照明部材と、１つの矩形孔部に差し込まれる差し込み片とブラケットに嵌め込まれる係止部とを有するフラットホルダーと、を備え、前記ベース両端面に、どちらか一方の矩形孔部にフラットホルダーの差し込み片を差し込み、それぞれフラットホルダーを取り付け、前記フラットホルダーの係止部をブラケットに嵌め込み、ベースをブラケットに取り付けたことを特徴とする。
【００１５】
また、前記フラットホルダーの係止部は、前記ベースの端面を塞ぐ大きさに形成され、前記フラットホルダーの差し込み片は、前記係止部に対して１つの矩形孔部の幅に対応してずらした位置に設けて構成することができる。
【００１６】
また、前記フラットホルダーは、ベースの端面を塞ぐようにして、前記矩形孔部の一方に前記差し込み片を差し込むことができる。
【００１７】
また、前記フラットホルダーの差し込み片を差し込む前記矩形孔部を選択して、１つのブラケットに２つのフラットホルダーの係止部が重ならないように配置し、連続するベースを一直線上に配置するように構成することができる。
【００１８】
また、前記底部は、前記両立壁部に対して、所定の角度を有するテーパー面に形成するとよい。
【００１９】
また、前記両立壁部の内面には、発光ダイオードを有する照明部材の基板が嵌め込まれる溝部が設けられ、この溝部を結ぶ線は、底部のテーパー面と平行に構成するとよい。
【００２０】
また、前記両立壁部間の開口部先端の近傍には、集光用レンズが装着される溝部が設けられ、この溝部を結ぶ線は、底部のテーパー面と平行に構成するとよい。
【発明の効果】
【００２１】
この発明は、ブラケットに対して、フラットホルダーの係止部を用いて簡単に取り付けることができるとともに、複数のスパンに跨った場合においても、２つのフラットホルダーの係止部が重ならないように配置して、連続するベースを一直線上に配置することで見栄えの良い照明装置が提供できる。
【図面の簡単な説明】
【００２２】
【図１】この発明の実施形態にかかる陳列棚の照明装置を示す斜視図である。
【図２】この発明の実施形態にかかる陳列棚の照明装置をＬＥＤ照明側から見た平面図である。
【図３】陳列棚へこの発明の実施形態にかかる照明装置を取り付けた状態を示す斜視図である。
【図４】この発明の実施形態にかかる照明装置のベースにフラットホルダーを取り付ける状態を示す斜視図である。
【図５】この発明の実施形態にかかる照明装置をブラケットに取り付ける状態を示す斜視図である。
【図６】陳列棚へこの発明の実施形態にかかる照明装置を取り付けた状態を示す平面図である。
【図７】連続するスパンに棚板を載置する陳列棚へこの発明の実施形態にかかる照明装置を取り付けた状態を示す斜視図である。
【図８】この発明の実施形態にかかる照明装置のベースにフラットホルダーを取り付ける状態を示す斜視図である。
【図９】この発明の実施形態にかかる照明装置のベースにフラットホルダーを取り付ける状態を示す斜視図である。
【図１０】この発明の実施形態にかかる照明装置のベースにフラットホルダーを取り付ける状態を示す斜視図である。
【図１１】この発明の実施形態にかかる照明装置を連続するスパンのブラケットに取り付ける状態を示す平面図である。
【図１２】連続するスパンに棚板を載置する陳列棚へこの発明の実施形態にかかる照明装置を取り付けた状態を示す平面図である。
【図１３】この発明の実施形態にかかる照明装置に用いられるフラットホルダーを示す斜視図である。
【図１４】この発明の実施形態にかかる照明装置の断面図である。
【図１５】ブラケットに照明装置を取り付ける他の例で用いられるスライダーホルダーを示す斜視図である。
【図１６】照明装置のベースの端部に装着されるエンドキャップを示す斜視図である。
【図１７】スライダーホルダーを照明装置のベースに取り付ける状態を示す斜視図である。
【図１８】スライダーホルダーを照明装置のベースに取り付ける状態を示す斜視図である。
【図１９】スライダーホルダーを用いて照明装置をブラケットに取り付ける状態を示す模式図である。
【図２０】従来の左右の一対のブラケットに発光ダイオードを使用した照明装置を取り付ける陳列棚の照明装置を示す斜視図である。
【発明を実施するための形態】
【００２３】
この発明の実施の形態について図面を参照しながら詳細に説明する。なお、図中同一または相当部分には同一符号を付し、説明の重複を避けるためにその説明は繰返さない。
【００２４】
図１は、この発明の実施形態にかかる陳列棚の照明装置を示す斜視図である。図１に示すように、この発明の照明装置１は、ベース１０と、発光ダイオード（ＬＥＤ）からなる光源３１が複数個取り付けられたＬＥＤ照明部材３と、コード４と、集光用レンズ６とを備える。
【００２５】
ベース１０は、例えば、アルミニウムの押し出し成形等により形成され、立壁部１５、１６、底部１７を有するチャンネル状に形成されている。この底部１７の両立壁部１５、１６間に形成される開口部とは逆の面側（図中下方側）には、後述するフラットホルダーの差し込み片と係合する一対の矩形孔部１１、１２が設けられている。
【００２６】
図１及び図１４の断面図に示すように、底部１７は立壁部１５、１６に対して、所定の角度、この実施形態では、１０度の角度を有するテーパー面に形成されており、立壁部１５から立壁部１６に向かい底部１７が厚くなっている。
【００２７】
そして、その上部の立壁部１５、１６の内面には、ＬＥＤ照明部材３の基板３０が嵌め込まれる溝部１４、１４が設けられている。この溝部１４、１４を結ぶ線は、底部１６のテーパー面と平行に構成され、この溝部１４、１４に、ＬＥＤ照明部材３の基板３０を嵌め込むと、ＬＥＤ照明部材３は、立壁部１５に向かって斜め１０度の角度で取り付けられることになる。
【００２８】
また、立壁部１５には、後述するスライダーホルダーが装着される溝１３と開口部１３ａが設けられている。
【００２９】
立壁部１５、１６間の開口部先端の近傍には、集光用レンズ１６が装着される溝部１８、１８が設けられている。この溝部１８、１８を結ぶ線も溝部１４、１４と同様に立壁部１５に向かって斜め１０度の角度に構成されており、集光用レンズ１６も立壁部１５に向かって斜め１０度の角度で取り付けられることになる。
【００３０】
この照明装置１を棚板の前方に位置する所に取り付ける際には、立壁部１６が前方に向かう方向でブラケットに照明装置１が取り付けられる。この結果、ＬＥＤ照明部材３は、棚板の後に方向に向かって１０度の角度を有して配置されることになる。
【００３１】
このように、ＬＥＤ照明部材３、集光用レンズ６が、立壁部１５に向かって斜め１０度に取り付けられるようにベース１０を構成し、下方に位置する棚の隅まで発光ダイオード（ＬＥＤ）からなる光源３１からの光が広がるように構成している。ＬＥＤ照明部材３の光源３１からの光は、立壁部１５、１６間の開口部から集光レンズ６を介して外部に照射される。
【００３２】
図２は、この発明の実施形態にかかる陳列棚の照明装置をＬＥＤ照明側から見た平面図である。図１及び図２に示すように、ベース１０に嵌め込まれるＬＥＤ照明部材３は、基板３０に発光ダイオード（ＬＥＤ）からなる光源３１が複数個取り付けられ、基板３０の両端には、雄型と雌型の端子が一体となったコネクタ３２、３２が取り付けられている。そして、コネクタ３２にケーブル４のコネクタ４１が接続され、ケーブル４を介して各光源３１に給電される。基板３０には、発光ダイオード（ＬＥＤ）を点灯させるためＩＣ３３が取り付けられている。
【００３３】
また、発光ダイオード（ＬＥＤ）からなる光源３１への給電は、どちらか一方のコネクタ３２を介して行われ、他方のコネクタ３２は、スパンが跨る場合に他の照明装置１との間でケーブル４を介して電気的に接続する場合に用いられる。このように、コネクタ３２を介して複数の照明装置１が接続され、１つの電源で複数の照明装置１を点灯させることができるように構成されている。
【００３４】
両端のコネクタ３２、３２は、図２に示すように、図中上下方向で雄型と雌型端子が逆の配置になるように配置されている。
【００３５】
ベース１０の矩形孔部１１、１２に嵌め込まれるフラットホルダー２は、図４及び図１３に示すように、ブラケット１１０に係合する断面コ字状の係止部２１と孔部１１、１２に差し込まれる一対の板片からなる差し込み片２２で構成されている。
【００３６】
差し込み片２２は、矩形孔部１１、１２に差し込まれる際に、撓んで差し込まれ、矩形孔部１１、１２に差し込み片２２が完全に嵌め込まれると、ベース１０にフラットホルダー２が取り付けられて固定される。
【００３７】
差し込み片２２は、図１３に示すように、係止部２１に対して１つの矩形孔部の幅に対応してずらした位置に設けられている。例えば、左側にずれた差し込み片２２が位置する場合には、図４及び図５に示すように、矩形孔部１２に差し込み片２２を差し込むと、係止部２１の差し込み片が設けられていない箇所に孔部１１が位置し、ベース１０の端面を塞ぐようにしてフラットホルダー２が装着される。
【００３８】
逆に、右側にずれた差し込み片２２が位置する場合には、矩形孔部１１に差し込み片２２を差し込むと、係止部２１の差し込み片が設けられていない箇所に矩形孔部１２が位置し、ベース１０の端面を塞ぐようにしてフラットホルダー２が装着される。
【００３９】
このように、ベース１０の端面を塞ぐようにフラットホルダー２を装着する場合には、図４に示すように、左右で差し込み片２２を差し込む孔部１１、１２を替えることで、同じフラットホルダー２を用いて、ベース１０の左右端面に、係止部２１を有するフラットホルダー２を取り付けることができる。
【００４０】
左右に取り付けたフラットホルダー２の係止部２１をそれぞれブラケット１１０に係止することで、左右のブラケット１１０に照明装置１を取り付けることができる。
【００４１】
陳列棚に対するこの発明の照明装置の取り付け方法につき、図３ないし図６を参照して説明する。
【００４２】
図３は、陳列棚へこの発明の実施形態にかかる照明装置を取り付けた状態を示す斜視図、図４は、この発明の実施形態にかかる照明装置のベースにフラットホルダーを取り付ける状態を示す斜視図、図５は、この発明の実施形態にかかる照明装置をブラケットに取り付ける状態を示す斜視図、図６は、陳列棚へこの発明の実施形態にかかる照明装置を取り付けた状態を示す平面図である。
【００４３】
図３ないし図６は、一対のブラケット１１０、１１０からなる１つのスパンに照明装置１を取り付けるものである。図３に示すように、適当な間隔をおいて設置された支柱１０１にそれぞれチャンネル鋼材などからなるサポート部材１０２をタップねじ（図示しない）を用いて固定し、このサポート部材１０２に板状のブラケット１１０を係止する。さらにこのブラケット１１０上に、この発明の照明装置１が取り付けられた後、ブラケット１１０上にガラス板などからなる棚板１０４が載せられる。また、サポート部材１０２の間には必要に応じてバックボード１０５が設置される。
【００４４】
ブラケット１１０の後端部には、図示はしないが、上下２段以上のＬ字型の係止フックが形成され、サポート部材１０２はこれら係止フックが抜き差しされる上下多段のスリット１０７と、これらスリット１０７から内部に挿入された係止フックが上下に移動できる縦溝１０８とを備える。そして、前記ブラケット１１０は、サポート部材１０２の前面に形成されたスリット１０７から係止フックを挿入してブラケット１１０を下げるという手順でサポート部材１０２に係止される。
【００４５】
上記のように、サポート部材１０２に係止された左右一対のブラケット１１０、１１０にこの発明の照明装置１を取り付ける。
【００４６】
図４に示すように、ベース１０の左右端部にフラットホルダー２を装着する。図中上側に位置するフラットホルダー２の差し込み片２２は、一点鎖線の矢印で示すように、ベース１０の矩形孔部１１に差し込み、図中下側に位置するフラットホルダー２の差し込み片２２は、一点鎖線の矢印で示すように、ベース１０の矩形孔部１２に差し込む。このように、フラットホルダー２、２をそれぞれベース１０の矩形孔部１１、１２に差し込んで取り付けると、ベース１０の端面がフラットホルダー２、２で覆われる。
【００４７】
そして、図５に示すように、ブラケット１１０、１１０に上からフラットホルダー２、２の係止部２１を嵌め込み、ブラケット１１０、１１０にそれぞれフラットホルダー２の係止部２１を係止させて、ブラケット１１０、１１０にこの発明の照明部材１を取り付ける。なお、使用しないケーブルがある場合には、ベース１０の空間に納めて外部に露出しないようにする。
【００４８】
さらに、この実施形態では、ブラケット１１０、１１０上に載せる棚板１０４の落下等を防ぐために、ブラケット１１０、１１０の先端部に棚板の受け用ホルダ５を装着している。
【００４９】
図６に示すように、ブラケット１１０、１１０上に棚板１０４を載せて、基板３０に複数のＬＥＤ光源３１が取り付けられたＬＥＤ照明部材３を有する照明装置１をブラケット１１０、１１０間に取り付けることができる。この照明装置１で下段の棚板上の商品等を照明する陳列棚が得られる。
【００５０】
このように、この発明の照明装置１は、ベース１０に、フラットホルダー２を装着し、フラットホルダー２の係止部２１をブラケット１１０に上から係止することで、簡単にブラケット１１０、１１０にＬＥＤ照明部材３を有する照明装置１を取り付けることができる。
【００５１】
また、ＬＥＤ照明部材３は、チャネル状のベース１０内に配置されており、外部からは、角材が棚板１０４の下に位置するだけであり、外観上シンプルで見栄えがよい。
【００５２】
さらに、ブラケット１１０、１１０の先端側にベース１０をフラットホルダー２の係止部２１を係止して固定しているので、ブラケット１１０、１１０の先端部が固定されることになり、ブラケット１１０、１１０の左右の振れが抑制される。
【００５３】
次に、スパンが連続する場合に、この発明の照明装置の取り付ける方法につき、図７ないし図１２に従い説明する。
【００５４】
図７は、連続するスパンに棚板を載置する陳列棚へこの発明の実施形態にかかる照明装置を取り付けた状態を示す斜視図、図８は、この発明の実施形態にかかる照明装置のベースにフラットホルダーを取り付ける状態を示す斜視図、図９は、この発明の実施形態にかかる照明装置のベースにフラットホルダーを取り付ける状態を示す斜視図、図１０は、この発明の実施形態にかかる照明装置のベースにフラットホルダーを取り付ける状態を示す斜視図、図１１は、この発明の実施形態にかかる照明装置を連続するスパンのブラケットに取り付ける状態を示す平面図、図１２は、連続するスパンに棚板を載置する陳列棚へこの発明の実施形態にかかる照明装置を取り付けた状態を示す平面図である。
【００５５】
スパンが連続する場合には、１つのブラケット１１０に左右の照明装置１のフラットホルダー２の係止部２１が取り付けられることになる。この発明では、ベース１０に一対の孔部１１、１２が設けられており、フラットホルダー２の差し込み片２２を差し込む孔部１１、１２を選択することで、図７に示すように、１つのブラケット１１０に係止させるフラットホルダー２の位置をずらし、隣り合うベース１０が一直線上になるように構成したものである。
【００５６】
例えば、図７の右側に位置するベース１０においては、図８に示すように、１つのブラケット１１０に２つのフラットホルダー２が係止される場合に、フラットホルダー２がずれて配置されるように、端面の矩形孔部１１にフラットホルダー２の差し込み片２２を挿入する。ベース１０の端面は矩形孔部１２が見える状態でフラットホルダー２が図中右側にずれた状態で取り付けられることになる。図９及び図１１に示すように、このベース１０の反対側の端面に装着されるフラットホルダー２は、端面部を覆うように、矩形孔部１１に差し込み片２２を装着する。
【００５７】
また、図７の左側に位置するベース１０においては、図１０及び図１１に示すように、ベース１０の矩形孔部１２にフラットホルダー２の差し込み片２２が挿入される。図１０、図１１に示すように、１つのブラケット１１０に２つのフラットホルダー２が係止される場合に、両者のフラットホルダー２が互いにずれた状態でベース１０にそれぞれ取り付けられているので、両者は重ならずに、２つのベース１０、１０が直線状に装着することができる。
【００５８】
３本のブラケット１１０で１つの棚１０４を支持する場合には、図１１に示すように、１つのベース１０は、同じ矩形孔部１１、１２にフラットホルダー２の差し込み片２２が差し込まれることになる。図１１においては、図中下側に位置するベース１０は、矩形孔部１２にそれぞれフラットホルダー２の差し込み片２２を差し込み、図中上側に位置するベース１０は、孔部１１に、それぞれフラットホルダー２の差し込み片２２を差し込むことで、ベース１０、１を１直線状に取り付けることができる。
【００５９】
更に、多くのスパンで棚板１０４を支持する場合には、１つのブラケット１１０に２つのフラットホルダー２が係止される箇所で、互いのフラットホルダー２の係止部２１が重ならないように、差し込み片２２を差し込む矩形孔部１１、１２を選択すればよい。
【００６０】
このように、ベース１０に一対の矩形孔部１１、１２が設けられており、フラットホルダー２の差し込み片２２を差し込む矩形孔部１１、１２を選択して、１つのブラケット１１０に２つのフラットホルダー２の係止部２１が重ならないように配置する。
【００６１】
この結果、ベース１０に差し込んだフラットホルダー２を用いて、ブラケット１１０にベース１０を取り付けると、連続するベース１０、１０が一直線上に配置されることになり、見栄えが良くなるばかりか、照明される位置のバラツキもなくなる。
【００６２】
次に、ブラケット１１０に照明装置を取り付ける他の例につき、図１５ないし図１９を参照して説明する。
【００６３】
図１５は、ブラケットに照明装置を取り付ける他の例で用いられるスライダーホルダー示す斜視図、図１６は、照明装置のベースの端部に装着されるエンドキャップを示す斜視図、図１７は、スライダーホルダーを照明装置のベースに取り付ける状態を示す斜視図、図１８は、スライダーホルダーを照明装置のベースに取り付ける状態を示す斜視図、図１９は、スライダーホルダーを用いて照明装置をブラケットに取り付ける状態を示す模式図である。
【００６４】
図１５ないし図１９に示すものは、ブラケット１１０に設けられた孔１１１を用いてオーバーハング状に照明装置１を固定するものである。このため、ベース１０の立壁部１５には、スライダーホルダー６が装着される溝１３と開口部１３ａが設けられている。スライダーホルダー７は、左右一組でブラケット１１０に装着される。
【００６５】
図１５に示すように、図中（ａ）と（ｂ）の１組で１つの照明装置１を取り付ける。（ａ）が左用、（ｂ）が右用である。
【００６６】
スライダーホルダー７は、溝１３に嵌め込まれるバネ部材で構成された挿入部７１と、開口部１３ａから突出し、孔１１１に挿入する係合部を有する突片７２とブラケット１１０に係合する断面コ字状の係止部７１を有している。さらに、挿入部７１には、ねじ孔７３を有し、このねじ孔７３にねじが螺合される。
【００６７】
図１７に示すように、ベース１０の溝１３にスライダーホルダー７の挿入部７１の長い方から嵌め込んで挿入する。同じく、逆からもスライダーホルダー７を挿入する。
【００６８】
止める位置をある程度決め、図１８に示すように、ねじ回し９を用いて図示しないねじで仮止めをする。また、ベース１０の端面には、エンドキャップ８を取り付ける。エンドキャップ８は図１６に示すように、ベース１０の矩形孔部１１、１２に挿入される突起部８１が設けられている。この突起部８１をベース１０の矩形孔部１１、１２に挿入してエンドキャップ８を取り付ける。
【００６９】
図１９に示すように、ブラケット１１０の孔部１１１にスライダーホルダー７の突片７２の係合部を差し込み、図中矢印の方向に前に倒して、ブラケット１１０に係止部７４を嵌め込み照明装置１をブラケット１１０で支持する。そして、壁に対してブラケット１１０が垂直になる位置でスライダーホルダー７のねじを最後まで固定して、照明装置１がブラケット１１０に固定される。
【００７０】
このように、スライダーホルダー７を用いてもブラケット１１０に照明装置１を取り付けることができるので、陳列棚の用途に応じて、取り付け方法を選択することができる。
【００７１】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００７２】
１  照明装置
１０  ベース
１１、１２  矩形孔部
１３  溝
１４  溝
１５、１６  立壁部
１７  底部
１８  溝
２  フラットホルダー
２１  係止部
２２  差し込み片
３  ＬＥＤ照明部材
３０  基板
３１  光源
３２  コネクタ
４  ケーブル
【図１】
0005399550.tif 000002
【図２】
0005399550.tif 000003
【図３】
0005399550.tif 000004
【図４】
0005399550.tif 000005
【図５】
0005399550.tif 000006
【図６】
0005399550.tif 000007
【図７】
0005399550.tif 000008
【図８】
0005399550.tif 000009
【図９】
0005399550.tif 000010
【図１０】
0005399550.tif 000011
【図１１】
0005399550.tif 000012
【図１２】
0005399550.tif 000013
【図１３】
0005399550.tif 000014
【図１４】
0005399550.tif 000015
【図１５】
0005399550.tif 000016
【図１６】
0005399550.tif 000017
【図１７】
0005399550.tif 000018
【図１８】
0005399550.tif 000019
【図１９】
0005399550.tif 000020
【図２０】
0005399550.tif 000021